(57)【要約】【課題】薄型で、組み立て性が良好であり、装着される電気部品との接触を安定して実現可能な電気部品用コネクタを提供する。【解決手段】第１開口部１１を有する第１部材１０と、第２開口部２１を有する第２部材２０と、互いに組み付けられた状態にある第１部材１０と第２部材２０との間に配置され、第１開口部１１を通って第１部材１０の表面から突出可能な第１接点部３１と、第２開口部２１を通って第２部材２０の表面から突出可能な第２接点部３２とを有する弾性変形可能な板状のコンタクト部材３０とを備える電気部品用コネクタＣであり、コンタクト部材３０は第１接点部３１と第２接点部３２との間に屈曲部３３を有し、第１部材１０又は第２部材２０にはコンタクト部材３０の屈曲部３３を揺動自在に係止する軸部１３が形成されるとともに、コンタクト部材３０が軸部１３の軸芯方向に沿った移動が規制される。【選択図】図１
2008041551.tif 000002
【特許請求の範囲】
【請求項１】
第１開口部を有する第１部材と、第２開口部を有する第２部材と、互いに組み付けられた状態にある前記第１部材と前記第２部材との間に配置され、前記第１開口部を通って前記第１部材の表面から突出可能な第１接点部と、前記第２開口部を通って前記第２部材の表面から突出可能な第２接点部とを有する弾性変形可能な板状のコンタクト部材とを備える電気部品用コネクタであって、
前記コンタクト部材は、前記第１接点部と前記第２接点部との間に屈曲部を有し、
前記第１部材又は前記第２部材には、前記コンタクト部材の前記屈曲部を揺動自在に係止する軸部が形成されるとともに、
前記コンタクト部材が、前記軸部の軸芯方向に沿った移動が規制されるように構成してある電気部品用コネクタ。
【請求項２】
前記コンタクト部材は、前記第１接点部及び前記第２接点部の一方が前記第１開口部及び前記第２開口部の一方から突出し、且つ、他方の接点部が他方の開口部から突出しない揺動位置に変位可能である請求項１記載の電気部品用コネクタ。
【請求項３】
前記第１部材及び前記第２部材の少なくとも一方は、前記第１接点部が前記第２開口部を通って前記第２部材側から突出しないように、及び、前記第２接点部が前記第１開口部を通って前記第１部材側から突出しないように、前記コンタクト部材の揺動を規制する規制部を有する請求項１又は２記載の電気部品用コネクタ。
【請求項４】
前記第１部材及び前記第２部材は、当該第１部材及び当該第２部材の一方に形成された嵌合部と他方に形成された被嵌合部とを嵌め合わせることで固定される請求項１〜３の何れか一項に記載の電気部品用コネクタ。
【請求項５】
請求項１〜４の何れか一項に記載の電気部品用コネクタと、前記第１部材の表面に装着される電気部品としてのコンデンサマイクロホンとを備えるマイクロホンユニット。
【発明の詳細な説明】
【技術分野】
【０００１】
本発明は、互いに組み付けられる第１部材及び第２部材と、第１部材と第２部材との間に配置された弾性変形可能な板状のコンタクト部材とを備える電気部品用コネクタ及びそれを備えたマイクロホンユニットに関する。
【背景技術】
【０００２】
ＥＣＭ（エレクトレットコンデンサマイクロホン）などの各種電気部品を回路基板に対して電気的に接続するための電気部品用コネクタがある。電気部品用コネクタは、互いに組み付けられる第１部材及び第２部材と、第１部材と第２部材との間に配置された弾性変形可能な板状のコンタクト部材とを備えている。また、コンタクト部材は、第１部材と第２部材との間から、第１部材に形成された第１開口部を通って第１部材側に突出可能な第１接点部と、第２部材に形成された第２開口部を通って第２部材側に突出可能な第２接点部とを有している。その結果、第１部材の表面に装着されるＥＣＭなどの電気部品と第２部材の表面に装着される回路基板などの電気部品との間の導通はコンタクト部材によって実現される。
【０００３】
例えば、図５に例示する特許文献１に記載の電気部品用コネクタは、第１開口部１０１ａを有する第１部材１０１と第２開口部１０２ａを有する第２部材１０２との間に形成された空間１０４に、板状の弾性材料を略星形に折り曲げた形状のコンタクト部材１０３を設けてある。このコンタクト部材１０３は、第１部材１０１の表面から常時突出する第１突出部１０３ａと、第２部材１０２の表面から常時突出する第２突出部１０３ｂとを有している。そして、第１部材１０１の表面にＥＣＭなどの電気部品（図示せず）が装着されると、コンタクト部材１０３が弾性変形して空間１０４側に押し込められながら電気部品と第１突出部１０３ａとが当接する。また、第２部材１０２の表面に回路基板などの電気部品（図示せず）が装着されると、コンタクト部材１０３が弾性変形して空間１０４側に押し込められながら電気部品と第２突出部１０３ｂとが当接する。
このようにして、第１部材１０１の表面に装着される電気部品と第２部材１０２の表面に装着される電気部品との間の導通はコンタクト部材１０３によって実現される。
【０００４】
また、図６に例示する特許文献２に記載の電気部品用コネクタは、一方の表面に第１開口部１１０ａを有し、他方の表面に第２開口部１１０ｂを有するホルダ部材１１０を備える。このホルダ部材１１０は、第１開口部１１０ａと第２開口部１１０ｂとの間に軸部１１０ｃを備えている。また、コンタクト部材としてのねじりコイルばね１１１のコイル部１１１ｃの内側には、軸部１１０ｃが挿通され、この軸部１１０ｃがホルダ部材１１０に固定される。このようにして、ねじりコイルばね１１１がホルダ部材１１０へ装着されている。
ねじりコイルばね１１１は、第１開口部１１０ａを通って突出する第１突出部１１１ａと、第２開口部１１０ｂを通って突出する第２突出部１１１ｂとを有している。そして、ホルダ部材１１０の一方の表面にＥＣＭなどの電気部品１１２が装着されると、電気部品１１２の端子１１２ａとねじりコイルばね１１１の第１突出部１１１ａとが接触する。また、ホルダ部材１１１の他方の表面に回路基板などの電気部品（図示せず）が装着されると、その電気部品の端子と第２突出部１１１ｂとが接触する。その結果、双方の電気部品の間の導通がねじりコイルばね１１１によって仲介されることになる。
【０００５】
【特許文献１】特開２００２−２６８９２５号公報
【特許文献２】特開２００２−１５２８７４号公報
【発明の開示】
【発明が解決しようとする課題】
【０００６】
特許文献１に記載の電気部品用コネクタは、第１突出部１０３ａ及び第２突出部１０３ｂが共に常時突出している。よって、この電気部品用コネクタにＥＣＭなどの電気部品を装着しようとすると、電気部品は常にコンタクト部材１０３の弾性力に押し戻される。つまり、電気部品用コネクタに対して容易に電気部品を組み付けることができないという問題がある。更に、略星形のコンタクト部材１０３は第１部材１０１と第２部材１０２との間の空間１０４の内部で固定されずに配置されているため、自由に動く。よって、コンタクト部材１０３と電気部品との間の接点の位置が安定せず、両者の接触が不十分になる可能性がある。また更に、コンタクト部材１０３を略星形に形成していることで、電気部品用コネクタの厚さが増大するという問題がある。
【０００７】
特許文献２に記載の電気部品用コネクタは、薄型、且つ、安定した接触を提供できるものの、ねじりコイルばね１１１の内側に軸部１１０ｃを挿通しなければならないため、組み立て性が悪いという問題がある。また、軸部１１０ｃをホルダ部材１１０と別体に形成することもできるが、部品点数が増加するという問題が生じる。
【０００８】
本発明は、上記の課題に鑑みてなされたものであり、その目的は、薄型で、組み立て性が良好であり、装着される電気部品との接触を安定して実現可能な電気部品用コネクタ及びそれを備えたマイクロホンユニットを提供する点にある。
【課題を解決するための手段】
【０００９】
上記目的を達成するための本発明に係る電気部品用コネクタの特徴構成は、第１開口部を有する第１部材と、第２開口部を有する第２部材と、互いに組み付けられた状態にある前記第１部材と前記第２部材との間に配置され、前記第１開口部を通って前記第１部材の表面から突出可能な第１接点部と、前記第２開口部を通って前記第２部材の表面から突出可能な第２接点部とを有する弾性変形可能な板状のコンタクト部材とを備える電気部品用コネクタであって、
前記コンタクト部材は、前記第１接点部と前記第２接点部との間に屈曲部を有し、
前記第１部材又は前記第２部材には、前記コンタクト部材の前記屈曲部を揺動自在に係止する軸部が形成されるとともに、
前記コンタクト部材が、前記軸部の軸芯方向に沿った移動が規制されるように構成してある点にある。
【００１０】
上記特徴構成によれば、コンタクト部材の屈曲部を軸部に係止した後、コンタクト部材を間に挟むように第１部材と第２部材とを組み付ければ電気部品用コネクタが得られる。つまり、コンタクト部材は軸部に係止されているので、第１部材と第２部材とを組み付けるときに、脱落し難くなる。よって、組み立て性の良好な電気部品用コネクタを提供できる。
また、本特徴構成の場合には、コンタクト部材は第１部材及び第２部材に埋め込まれておらず、係止されているだけなので、コンタクト部材全体の弾性力が電気部品に加わることになる。その結果、コンタクト部材が設けられる領域が小さくても、コンタクト部材と電気部品との間の接触を強く且つ確実に行うことができる。
更に、コンタクト部材は、第１部材又は第２部材に形成された軸部に揺動自在に係止され、且つ、軸部の軸芯方向に沿った移動が規制されるように構成される。つまり、コンタクト部材の移動は上記揺動に限定されるので、第１接点部及び第２接点部は自由に動くことはなく、その移動領域は限定される。よって、コンタクト部材の第１接点部及び第２接点部と電気部品との間の接触位置がほぼ定まり、両者の接触が安定して行われることになる。
また更に、コンタクト部材が屈曲されて薄い状態で軸部に係止されているので、コンタクト部材を設けるための特別な空間は不要である。その結果、本特徴構成による電気部品用コネクタを薄型に構成できる。
従って、薄型で、組み立て性が良好であり、装着される電気部品との接触を安定して実現可能な電気部品用コネクタを提供できる。
【００１１】
本発明に係る電気部品用コネクタの別の特徴構成は、前記コンタクト部材は、前記第１接点部及び前記第２接点部の一方が前記第１開口部及び前記第２開口部の一方から突出し、且つ、他方の接点部が他方の開口部から突出しない揺動位置に変位可能である点にある。
【００１２】
上記特徴構成によれば、コンタクト部材は、電気部品用コネクタに対して電気部品を装着すると、電気部品が装着された側の接点部が電気部品用コネクタの内側に引退するような揺動位置に変位する。つまり、電気部品用コネクタに対して１つの電気部品を装着したとき、その電気部品はコンタクト部材から弾性力を受けなくなる。よって、電気部品用コネクタに対して電気部品を容易に組み付けることができる。
【００１３】
本発明に係る電気部品用コネクタの別の特徴構成は、前記第１部材及び前記第２部材の少なくとも一方は、前記第１接点部が前記第２開口部を通って前記第２部材側に突出しないように、及び、前記第２接点部が前記第１開口部を通って前記第１部材側に突出しないように、前記コンタクト部材の揺動を規制する規制部を有する点にある。
【００１４】
上記特徴構成によれば、コンタクト部材の揺動範囲を規制する規制部が設けられているので、コンタクト部材が必要以上に揺動することを防止できる。
【００１５】
本発明に係る電気部品用コネクタの別の特徴構成は、前記第１部材及び前記第２部材は、当該第１部材及び当該第２部材の一方に形成された嵌合部と他方に形成された被嵌合部とを嵌め合わせることで固定される点にある。
【００１６】
上記特徴構成によれば、一方に形成された嵌合部と他方に形成された被嵌合部とを嵌め合わせるだけで、第１部材及び第２部材の組み立てをできる。よって、組み立て性の良い電気部品用コネクタを提供できる。
【００１７】
上記目的を達成するための本発明に係るマイクロホンユニットの特徴構成は、電気部品用コネクタと、前記第１部材の表面に装着される前記電気部品としてのコンデンサマイクロホンとを備える点にある。
【００１８】
上記特徴構成によれば、薄型で、組み立て性が良好であり、装着される電気部品との接触を安定して実現可能な電気部品用コネクタとコンデンサマイクロホンとを備えたマイクロホンユニットを提供できる。
【発明を実施するための最良の形態】
【００１９】
以下に図面を参照して本発明に係る電気部品用コネクタＣ及びそれを備えたマイクロホンユニット１の構成を説明する。図１は、電気部品用コネクタＣを備えたマイクロホンユニット１の断面図である。また、図２及び図３は、上方向及び下方向から見たマイクロホンユニット１の分解斜視図である。
図１〜図３に示すように、電気部品用コネクタＣは、第１開口部１１を有する第１部材１０と、第２開口部２１を有する第２部材２０と、互いに組み付けられた状態にある第１部材１０及び第２部材２０との間に配置されるコンタクト部材３０とを備える。但し、本実施形態では、電気部品としてのエレクトレットコンデンサマイクロホン（ＥＣＭ）２は２つの端子２ａ、２ｂを備えているため、電気部品用コネクタＣも２つのコンタクト部材３０を備えている。更に、電気部品用コネクタＣが備える２つのコンタクト部材３０の向きは互いに逆である。これは、コンタクト部材３が、ＥＣＭ２の中央部に位置する端子２ａとＥＣＭ２の周辺部に位置する端子２ｂとに夫々接触するように配置しているからである。そして、電気部品用コネクタＣの上部にはＥＣＭ２が装着され、下部には電気部品としての回路基板４が装着される。また、ＥＣＭ２及び電気部品用コネクタＣを覆うように、音孔３ａを有するカバー３が装着されている。その結果、音孔３ａから侵入した音がＥＣＭ２で検知されて電気信号に変換され、電気部品用コネクタＣのコンタクト部材３０を介して回路基板４へ伝達されることになる。
【００２０】
各コンタクト部材３０は、第１部材１０と第２部材２０との間に配置されており、第１開口部１１を通って第１部材１０の表面から突出可能な第１接点部３１と、第２開口部２１を通って第２部材２０の表面から突出可能な第２接点部３２とを有する。また、コンタクト部材３０は、第１接点部３１よりも先端側に、平坦な当接部３４を有している。更に、コンタクト部材３０は、弾性変形可能な板状の導電性材料を用いて形成され、第１接点部３１と第２接点部３２との間に屈曲部３３を有する。具体的には、コンタクト部材３０はＶ字形又はＵ字形に折り曲げられており、その折り曲げられた屈曲部３３が後述する軸部１３に係止される。
【００２１】
第１部材１０は、一方の表面に電気部品としてのＥＣＭ２が装着され、他方の表面は第２部材２０と対面して組み付けられるように構成されている。具体的には、第１部材１０は、表面にＥＣＭ２が装着された状態でそのＥＣＭ２の周囲を取り囲むように形成された枠部１６を有する。本実施形態ではＥＣＭ２は円形であるので枠部１６も円形である。また、第１部材１０の表面の、第２部材２０と対面する側の第１開口部１１の端部付近には、第１開口部１１を挟む一対の突起部１２が設けられ、この一対の突起部１２に軸部１３が第１開口部１１を跨ぐように設けられている。よって、コンタクト部材３０の屈曲部３３が第１部材１０の軸部１３に係止されると、コンタクト部材３０は、軸部１３を中心として第１開口部１１によって形成される空間を揺動可能となる。
【００２２】
第２部材２０は、一方の表面に電気部品としての回路基板４が装着され、他方の表面は第１部材１０と対面して組み付けられるように構成されている。また、第２部材２０の第２開口部２１の端部には、第１部材１０と第２部材２０とが組み付けられたときに第１部材１０の突起部１２及び軸部１３を収容可能な収容部２２が形成されている。つまり、第１部材１０と第２部材２０とが組み付けられるとき、第１開口部１１と第２開口部２１とが重なり合い、第１部材１０に形成されている突起部１２及び軸部１３が第２部材２０の収容部２２に嵌まり込むようになる。よって、第１部材１０と第２部材２０とが組み付けられると、軸部１３は第１部材１０と第２部材２０との間に位置するようになる。そして、第１部材１０と第２部材２０とが組み付けられると、屈曲部３３が第１部材１０の軸部１３に係止された状態にあるコンタクト部材３０は、軸部１３を中心にして第１部材１０の第１開口部１１及び第２部材２０の第２開口部２１により形成される空間を揺動可能になる。但し、コンタクト部材３０の、軸部１３の軸芯方向に沿った移動は、第１部材１０の突起部１２によって規制される。
【００２３】
また、第１部材１０と第２部材２０との組み付けは、第１部材１０の表面に設けられた被嵌合部１４と、第２部材２０の表面に設けられた嵌合部２３とを嵌め合わせることで行われる。
【００２４】
図４は、電気部品用コネクタＣの断面図である。図４中に実線で示すように、コンタクト部材３０は、第１接点部３１が第１開口部１１から突出し、且つ、第２接点部３２が第２開口部２１から突出する揺動位置に変位可能である。また、図４中に破線で示すように、コンタクト部材３０は、第２接点部３２が第２開口部２１から突出し、且つ、第１接点部３１が第１開口部１１から突出しない揺動位置にも変位可能である。つまり、第１部材１０にＥＣＭ２が装着されると、実線の揺動位置にあったコンタクト部材３０は、第１接点部３１が押し下げられるように揺動することになる。その結果、コンタクト部材３０は、破線で示すような揺動位置に変位することになる。
【００２５】
具体的には、コンタクト部材３０は、電気部品用コネクタＣに対して電気部品としてのＥＣＭ２を装着すると、ＥＣＭ２が装着された側の第１接点部３１が電気部品用コネクタＣの内側に引退するような揺動位置に変位する。つまり、電気部品用コネクタＣに対して１つの電気部品（ＥＣＭ２）を装着したとき、その電気部品はコンタクト部材３０から弾性力を受けなくなる。よって、電気部品用コネクタＣに対して電気部品（ＥＣＭ２）を容易に組み付けることができる。他方で、従来のようにコンタクト部材が常時突出するような電気部品用コネクタの場合、電気部品を装着するときにもその電気部品は常に弾性力を受けて押し上げられることになる。よって、電気部品を電気部品用コネクタＣに対して容易に組み付けることが出来ない可能性がある。
【００２６】
また、図１〜図４に示しているように、第１部材１０及び第２部材２０は、第１接点部３１が第２開口部２１を通って第２部材２０側から突出しないように、及び、第２接点部３２が第１開口部１１を通って第１部材１０側から突出しないように、コンタクト部材３０の揺動を規制する（即ち、コンタクト部材３０の揺動範囲を制限する）規制部１５、２４を夫々有している。そして、コンタクト部材３０の一端に設けられた当接部３４と規制部１５、２４とを当接させて、コンタクト部材３０が必要以上に揺動することを防止できる。
【００２７】
以上のように、コンタクト部材３０は軸部１３に係止されているので、第１部材１０と第２部材２０とを組み付けるときに、脱落し難くなる。よって、組み立て性の良好な電気部品用コネクタＣを提供できる。
更に、コンタクト部材３０は第１部材１０及び第２部材２０に埋め込まれて固定されているのではなく、揺動可能に係止されているだけなので、コンタクト部材３０全体の弾性力が電気部品に加わることになる。その結果、コンタクト部材３０が設けられる空間が小さくても、コンタクト部材３０と電気部品との間の接触を強く且つ確実に行うことができる。
更に、コンタクト部材３０は、第１部材１０又は第２部材２０に形成された軸部１３に揺動自在に係止され、且つ、軸部１３の軸芯方向に沿った移動が規制されるように構成される。つまり、コンタクト部材３０の移動は上記揺動に限定されるので、第１接点部３１及び第２接点部３２は自由に動くことはなく、その移動領域は限定される。よって、コンタクト部材３０の第１接点部３１及び第２接点部３２と電気部品との間の接触位置がほぼ定まり、両者の接触が安定して行われることになる。
また更に、コンタクト部材３０が屈曲されて薄い状態で軸部１３に係止されているので、コンタクト部材３０を設けるための特別な空間は不要である。その結果、電気部品用コネクタＣを薄型に構成できる。
【００２８】
＜別実施形態＞
＜１＞
上記実施形態では、コンタクト部材３０が係止される軸部を第１部材１０に設けているが、この軸部を第２部材２０に設けるように改変してもよい。
【００２９】
＜２＞
上記実施形態では、第１部材１０及び第２部材２０の両方に、コンタクト部材３０の揺動を規制するための規制部１５、２４を設けたが、この規制部は、第１部材１０及び第２部材２０の少なくとも一方に設けるだけでもよい。
また、コンタクト部材３０の第１接点部３１よりも先端側に、上記規制部１５、２４と当接する当接部３４を設けたが、第２接点部３２よりも先端側などの他の部位に当接部を設けてもよい。
【００３０】
＜３＞
上記実施形態では、電気部品用コネクタが電気部品としてのＥＣＭと回路基板との間の導通を確立するために用いられる場合について説明したが、携帯電話用の小型スピーカと回路基板との間、電子ブザーと回路基板との間など、他の様々な電気部品間の導通を確立するためにも用いることができる。
【産業上の利用可能性】
【００３１】
本発明の電気部品用コネクタは、二つの電気部品間の導通を確立するために用いることができる。特に、本発明の電気部品用コネクタは、部品点数が少なく、且つ、組み立て性が良好であるのに加えて、電気部品間の確実な導通を確立できるので、ＥＣＭ、小型スピーカ、電子ブザーなどの小型の電気機器を回路基板に搭載するのにも有効である。
【図面の簡単な説明】
【００３２】
【図１】電気部品用コネクタを備えたマイクロホンユニットの断面図
【図２】マイクロホンユニットの分解斜視図
【図３】マイクロホンユニットの分解斜視図
【図４】電気部品用コネクタの断面図
【図５】従来の電気部品用コネクタの断面図
【図６】従来の電気部品用コネクタを備えたマイクロホンユニットの断面図
【符号の説明】
【００３３】
１０  第１部材
１１  第１開口部
１３  軸部
１４  被嵌合部
１５  規制部
２０  第２部材
２１  第２開口部
２３  嵌合部
２４  規制部
３０  コンタクト部材
３１  第１突出部
３２  第２突出部
３３  屈曲部
Ｃ  電気部品用コネクタ
【図１】
2008041551.tif 000003
【図２】
2008041551.tif 000004
【図３】
2008041551.tif 000005
【図４】
2008041551.tif 000006
【図５】
2008041551.tif 000007
【図６】
2008041551.tif 000008